(57)【要約】      （修正有）【課題】設置対象への電池の設置作業をやり易くする設置構造を提供する。【解決手段】本発明の電池設置構造は、組電池１と、固定部１０を備え、前記組電池１は、第一の筐体３と前記第一の筐体３に収容された複数の単電池とを有する。前記固定部１０は、複数の面ファスナ１１を有し、前記面ファスナ１１同士の結合により前記組電池１を設置対象に固定する。各面ファスナ１１は可撓性（柔軟性、弾性）およびクッション性を有している。また、ベース部１１ａと係合部１１ｂを備えている。【選択図】図４
2014013687.tif 000002
【特許請求の範囲】
【請求項１】
第一の筐体と、前記第一の筐体に収容された複数の単電池と、を有した組電池と、
複数の面ファスナを有し、前記面ファスナ同士の結合を用いて前記組電池を設置対象に固定した固定部と、
を備えた電池設置構造。
【請求項２】
前記組電池は、前記第一の筐体から露出された端子部を有し、
前記組電池は、並べられて複数設けられ、
隣り合う前記組電池の前記端子部同士は、導電部材で接続された請求項１に記載の電池設置構造。
【請求項３】
第二の筐体と、
前記第二の筐体に挿入された引き出しと、
を備え、
前記設置対象は、前記引き出しに設けられた載置面であり、
前記組電池は、前記引き出しの挿入方向に沿って並べられて複数設けられた請求項１または２に記載の電池設置構造。
【請求項４】
前記複数の面ファスナに含まれる、第一の面ファスナおよび第二の面ファスナを備え、
前記第一の筐体は、前記設置対象に面する第一の面を有し、
前記第一の面ファスナは、前記第一の面に設けられ、
前記第二の面ファスナは、前記第一の面の下方で前記設置対象に設けられ、前記第一の面ファスナと結合した、請求項１ないし３のいずれか一項に記載の電池設置構造。
【請求項５】
前記複数の面ファスナに含まれる、第一の面ファスナ、第二の面ファスナ、および第三の面ファスナを備え、
前記第一の筐体は、前記設置対象に面する第一の面、前記第一の面の反対側の第二の面、および前記第一の面と前記第二の面とを接続した第三の面を有し、
前記第一の面ファスナは、前記第三の面に設けられ、
前記第二の面ファスナは、前記設置対象における前記第一の面と面する領域の外側に設けられ、
前記第三の面ファスナは、前記第一の面ファスナおよび前記第二の面ファスナと結合した、請求項１ないし３のいずれか一項に記載の電池設置構造。
【請求項６】
前記第三の面は、第四の面と、前記第四の面の反対側の第五の面と、を有し、
前記第一の面ファスナは、前記第四の面と前記第五の面とに設けられた請求項５に記載の電池設置構造。
【請求項７】
前記複数の面ファスナに含まれる、第一の面ファスナ、第二の面ファスナ、第三の面ファスナ、第四の面ファスナ、および第五の面ファスナを備え、
前記第一の筐体は、前記設置対象に面する第一の面、前記第一の面の反対側の第二の面、および前記第一の面と前記第二の面とを接続した第三の面を有し、
前記第一の面ファスナは、前記第一の面に設けられ、
前記第二の面ファスナは、前記第一の面の下方で前記設置対象に設けられ、前記第一の面ファスナと結合し、
前記第三の面ファスナは、前記第三の面に設けられ、
前記第四の面ファスナは、前記設置対象における前記第一の面と面する領域の外側に設けられ、
前記第五の面ファスナは、前記第三の面ファスナおよび前記第四の面ファスナと結合した、請求項１に記載の電池設置構造。
【請求項８】
前記組電池は、前記第一の筐体から露出された端子部を有し、
前記組電池は、並べられて複数設けられ、
隣り合う前記組電池の前記端子部同士は、導電部材で接続され、
前記第三の面は、第四の面と前記第四の面の反対側の第五の面とを有し、
前記第四の面と前記第五の面とは、前記複数の組電池の並び方向での前記第一の筐体の端部に設けられ、
前記端子部は、前記第二の面から露出されるとともに、前記第四の面と前記第五の面のうちで一方に寄せられ、
前記第一の面ファスナは、前記第四の面と前記第五の面とのうちで他方に寄せられ、
前記第三の面ファスナは、前記第四の面と前記第五の面のうちの前記一方に設けられた請求項７に記載の電池設置構造。
【請求項９】
第二の筐体と、
前記第二の筐体に引き出し可能に挿入された引き出しと、
を備え、
前記設置対象は、前記引き出しに設けられた載置面であり、
前記組電池は、前記引き出しの挿入方向に沿って並べられて複数設けられ、
前記第三の面は、第四の面と前記第四の面の反対側の第五の面とを有し、
前記第四の面と前記第五の面とは、前記挿入方向と直交する前記第一の筐体の幅方向での前記第一の筐体の端部に設けられ、
前記第一の面ファスナは、前記第四の面と前記第五の面とのうちで一方に寄せられ、
前記第二の面ファスナは、前記第四の面と前記第五の面とのうちの他方に設けられた請求項７に記載の電池設置構造。
【請求項１０】
前記複数の面ファスナに含まれる、第一の面ファスナおよび第二の面ファスナを備え、
前記第一の筐体は、前記設置対象に面する第一の面、前記第一の面の反対側の第二の面、および前記第一の面と前記第二の面とを接続した第三の面を有し、
前記第一の面ファスナは、前記第三の面に設けられ、
前記第二の面ファスナは、前記設置対象における前記第一の面と面する領域の外側に結合具によって固定され、前記第一の面ファスナと結合した、請求項１ないし３のいずれか一項に記載の電池設置構造。
【請求項１１】
固定具と、
前記複数の面ファスナに含まれる、第一の面ファスナ、第二の面ファスナ、第三の面ファスナ、および第四の面ファスナと、
を備え、
前記第一の筐体は、前記設置対象に面する第一の面および前記第一の面の反対側の第二の面を有し、
前記第一の面ファスナは、前記第二の面に設けられ、
前記第二の面ファスナは、前記設置対象における前記第一の面と面する領域の外側に設けられ、
前記第三の面ファスナは、前記固定具に設けられ前記第一の面ファスナと結合し、
前記第四の面ファスナは、前記固定具に設けられ前記第二の面ファスナと結合した、請求項１ないし３のいずれか一項に記載の電池設置構造。
【請求項１２】
固定具と、
前記複数の面ファスナに含まれる、第一の面ファスナおよび第二の面ファスナと、
を備え、
前記第一の筐体は、前記設置対象に面する第一の面、前記第一の面の反対側の第二の面、および前記第一の面と前記第二の面とを接続した第三の面と、を有し、
前記第一の面ファスナは、前記第二の面に設けられ、
前記固定具は、前記設置対象における前記第一の面と面する領域の外側に結合具によって固定され、
前記第二の面ファスナは、前記固定具に設けられ、前記第一の面ファスナと結合した、請求項１ないし３のいずれか一項に記載の電池設置構造。
【請求項１３】
電池と、
複数の面ファスナを有し、前記面ファスナ同士の結合を用いて前記電池を設置対象に固定した固定部と、
を備えた電池設置構造。
【発明の詳細な説明】
【技術分野】
【０００１】
本発明の実施形態は、電池設置構造に関する。
【背景技術】
【０００２】
従来、筐体に複数の単電池を収容した組電池などの電池が知られている。
【先行技術文献】
【特許文献】
【０００３】
【特許文献１】特開２０１１−７６９３６号公報
【発明の概要】
【発明が解決しようとする課題】
【０００４】
この種の電池では、一例としては、設置対象への設置作業がやり易いことが望ましい。
【課題を解決するための手段】
【０００５】
実施形態の電池設置構造は、組電池と、固定部と、を備えた。前記組電池は、第一の筐体と、前記第一の筐体に収容された複数の単電池と、を有した。前記固定部は、複数の面ファスナを有し、前記面ファスナ同士の結合を用いて前記組電池を設置対象に固定した。
【図面の簡単な説明】
【０００６】
【図１】図１は、第１の実施形態にかかる電池ユニットの一例の斜視図である。
【図２】図２は、第１の実施形態にかかる組電池の一例の平面図である。
【図３】図３は、第１の実施形態にかかる組電池の一例の底面図である。
【図４】図４は、第１の実施形態にかかる電池ユニットの一部の一例の斜視図である。
【図５】図５は、第１の実施形態にかかる電池ユニットの一部の一例の分解斜視図である。
【図６】図６は、第２の実施形態にかかる電池ユニットの一部の一例の斜視図である。
【図７】図７は、図６に示された電池ユニットの一部の一例の平面図である。
【図８】図８は、図６のＦ８方向から見た電池ユニットの一部の一例の矢視図である。
【図９】図９は、第３の実施形態にかかる電池ユニットの一部の一例の斜視図である。
【図１０】図１０は、図９に示された電池ユニットの一部の一例の平面図である。
【図１１】図１１は、第４の実施形態にかかる電池ユニットの一部の一例の斜視図である。
【図１２】図１２は、第４の実施形態にかかる電池ユニットの一部の一例の分解斜視図である。
【図１３】図１３は、第５の実施形態にかかる電池ユニットの一部の一例の斜視図である。
【図１４】図１４は、図１３に示された電池ユニットの一部の一例の平面図である。
【図１５】図１５は、第６の実施形態にかかる電池ユニットの一部の一例の斜視図である。
【図１６】図１６は、第６の実施形態にかかる固定具の一例の側面図である。
【図１７】図１７は、第７の実施形態にかかる電池ユニットの一部の一例の斜視図である。
【発明を実施するための形態】
【０００７】
以下の例示的な複数の実施形態には、同様の構成要素が含まれている。よって、以下では、同様の構成要素には共通の符号が付されるとともに、重複する説明が省略される。また、各図では、説明の便宜上、方向（Ｘ方向、Ｙ方向、Ｚ方向）が示されている。Ｘ方向、Ｙ方向、およびＺ方向は、相互に直交している。
【０００８】
＜第１の実施形態＞
本実施形態では、一例として、図１に示されるように、電池ユニットＡ（電源装置）は、複数の組電池１（電池モジュール）と、複数の組電池１を収容した収容庫１００と、を備えている。組電池１は、電池の一例である。電池ユニットＡは、一例として、ＰＯＳ（point  of  sales）システム用の電源など、定置型の電源として使用されうる。
【０００９】
収容庫１００は、一例として、筐体１０１（第二の筐体）と、筐体１０１に挿入された複数の引き出し１０２（第一の引き出し）と、筐体１０１に挿入された一つの引き出し１０３（第二の引き出し）と、を有している。引き出し１０２には、組電池１が設置され、引き出し１０３には、組電池１の充放電制御および電圧などの監視を行う管理装置（図示されず）などが設置されている。
【００１０】
筐体１０１は、本体１０４と、本体１０４に開閉可能に連結された扉１０５と、を有している。本体１０４は、上下方向（高さ方向、Ｚ方向）に比較的長い概略直方体状の外観を呈している。
【００１１】
本体１０４には、収容部１０４ａ，１０４ｂが設けられている。収容部１０４ａには、引き出し１０２が引き出し可能に挿入され、収容部１０４ｂには、引き出し１０３が引き出し可能に挿入されている。一例として、収容部１０４ａは、複数設けられ、収容部１０４ｂは、一つ設けられている。収容部１０４ａは、上下に複数段設けられ、収容部１０４ｂは、複数の収容部１０４ａの上方に設けられている。収容部１０４ａ，１０４ｂは、本体１０４の前面１０４ｃから本体１０４の後面へ向けて凹状に設けられている。引き出し１０２，１０３は、収容部１０４ａ，１０４ｂのそれぞれの開口１０４ｄ，１０４ｅから収容部１０４ａ，１０４ｂ内に挿入されている。開口１０４ｄ，１０４ｅは、筐体１０１の前面１０４ｃに設けられている。収容部１０４ａ，１０４ｂは、引き出し１０２，１０３をスライド可能に支持している。収容部１０４ａ，１０４ｂに対する引き出し１０２，１０３の挿入方向は、一例として、筐体１０１の前後方向での後方（Ｘ方向）であり、収容部１０４ａ，１０４ｂに対する引き出し１０２の引き出し方向は、筐体１０１の前後方向での前方である。
【００１２】
扉１０５は、本体１０４の前面１０４ｃを覆う位置と本体１０４の前面１０４ｃを開放する位置との間で回動可能に、本体１０４にヒンジ（図示されず）によって連結されている。扉１０５には、通気部１０５ａが設けられている。通気部１０５ａは、収容部１０４ａの上下の段のそれぞれに対応して設けられるとともに、収容部１０４ｂに対応して設けられている。通気部１０５ａには、複数の開口（通気孔）が設けられている。通気部１０５ａは、本体１０４の内外を連通しており、通気部１０５ａを介して本体１０４内へ外気が流入するとともに、通気部１０５ａを介して本体１０４内の空気が外部へ流出する。
【００１３】
引き出し１０２は、一例として、前後方向（奥行き方向、引き出し１０２の挿入方向、Ｘ方向）に比較的長い概略直方体状の外観を呈している。引き出し１０２には、上面１０２ａから下面１０２ｂに向けて凹んだ凹部１０２ｃ（収容部、設置部）が設けられている。凹部１０２ｃ内に組電池１が収容されている。
【００１４】
引き出し１０２は、四角形状（例えば長方形状）の底壁１０２ｄと、底壁１０２ｄの周縁部に立設された矩形環状の周壁１０２ｅと、を有している。これらの底壁１０２ｄと周壁１０２ｅとによって凹部１０２ｃが構成されている。底壁１０２ｄには、載置面１０２ｆ（面、面部、上面、上面部、載置部、設置部、設置対象、図４参照）が設けられている。載置面１０２ｆは、底壁１０２ｄの上面を構成するとともに凹部１０２ｃの底面を構成している。載置面１０２ｆには、複数の組電池１が載置（固定）されている。周壁１０２ｅは、前壁１０２ｇと、後壁（図示されず）と、一対の側壁１０２ｈと、を有している。前壁１０２ｇは、底壁１０２ｄの前縁部に設けられている。後壁は、底壁１０２ｄの後縁部に設けられている。一対の側壁１０２ｈは、底壁１０２ｄの一対の側縁部に設けられている。前壁１０２ｇには、取っ手１０２ｉが設けられており、作業者は、取っ手１０２ｉを把持して引き出し１０２を開閉（スライド）させることができる。また、前壁１０２ｇには、通気部１０２ｊが設けられている。通気部１０２ｊは、一例として、取っ手１０２ｊの下方に設けられている。通気部１０２ｊには、複数の開口（通気孔）が設けられている。通気部１０２ｊは、引き出し１０２（凹部１０２ｃ）の内外を連通している。したがって、通気部１０５ａ，１０２ｊを介して引き出し１０２内へ外気が流入するとともに、通気部１０２ｊ，１０５ａを介して引き出し１０２内の空気が外部へ流出する。
【００１５】
組電池１は、図１に示されるように、一例として、引き出し１０２の載置面１０２ｆ（図４参照）に、引き出し１０２の挿入方向（Ｘ方向）に沿って一例に並べられて複数設けられている。本実施形態では、一例として、複数の組電池１は、直列に電気的に接続されている。なお、複数の組電池１は、並列に電気的に接続されていてもよい。
【００１６】
組電池１は、一例として、図２に示されるように、直列または並列に電気的に接続された複数の単電池２（単電池部、単セル、電池セル、電池）と、これら複数の単電池２を収容した筐体３（ケース、ケーシング、ハウジング、第一の筐体）と、を有している。組電池１は、一例としては、二次電池（蓄電池、充電式電池）として構成されうる。組電池１は、本実施形態では、上述のとおり、収容庫１００に設置されて、定置型の電池ユニットＡを構成しているが、他の種々の装置や、機械、設備などに設置されうる。例えば、組電池１は、携帯電話や、パーソナルコンピュータ、携帯音楽プレーヤーなどの比較的小型の装置に設けられてそれらの電源としても使用される他、電動自転車や、ハイブリッド電気自動車、電気自動車などの比較的大型の装置に設けられてそれらの電源としても使用される。また、組電池１に含まれる単電池２の数や配置などは、本実施形態で開示されるものには限定されない。また、組電池１には、電池の電圧や温度を監視するための配線や、監視基板、電池制御のための制御基板などが含まれうる。
【００１７】
本実施形態では、一例として、単電池２は、それぞれ、リチウムイオン二次電池として構成されることができる。なお、単電池２は、ニッケル水素電池や、ニッケルカドミウム電池、鉛蓄電池など、他の二次電池であってもよい。リチウムイオン二次電池は、非水電解質二次電池の一種であり、電解質中のリチウムイオンが電気伝導を担う。正極材料としては、例えば、リチウムマンガン複合酸化物、リチウムニッケル複合酸化物、リチウムコバルト複合酸化物、リチウムニッケルコバルト複合酸化物、リチウムマンガンコバルト複合酸化物、スピネル型リチウムマンガンニッケル複合酸化物、オリビン構造を有するリチウムリン酸化物などが用いられ、負極材料としては、例えば、チタン酸リチウム（ＬＴＯ）などの酸化物系材料や、炭素質材料、シリコン系材料などが用いられる。また、電解質（一例としては電解液）としては、例えば、フッ素系錯塩（例えばＬｉＢＦ４、ＬｉＰＦ６）などのリチウム塩が配合された、例えば、炭酸エチレンや炭酸プロピレン、炭酸ジエチル、炭酸エチルメチル、炭酸ジメチルなどの有機溶媒などが単独であるいは複数混合されて用いられる。
【００１８】
筐体３は、一例として、図２〜４などに示されるように、一方向（Ｙ方向、単電池２の並び方向、単電池２の配列方向、単電池２の重なり方向）に比較的長い直方体状の外観を呈している。筐体３は、高さ方向（Ｚ方向）、高さ方向と直交する短手方向（Ｘ方向）、および高さ方向と短手方向と直交する長手方向（Ｙ方向）を有する形状となっている。
【００１９】
また、筐体３は、一例として、下面３ａ（面、表面、面部、図２参照）と、上面３ｂ（面、表面、面部、図３参照）と、周面３ｃ（面、表面、側面、亘面、面部、図４参照）と、を有している。下面３ａは、第一の面（第一の面部）の一例であり、上面３ｂは第二の面（第二の面部）の一例であり、周面３ｃは第三の面（第三の面部）の一例である。
【００２０】
下面３ａは、一方向（Ｙ方向、単電池２の並び方向、単電池２の配列方向、単電池２の重なり方向）に比較的長い長方形状となっている。したがって、下面３ａは、短手方向（Ｘ方向）および長手方向（Ｙ方向）を有する形状となっている。下面３ａは、載置面１０２ｆ（設置対象）に面する（対面する、対向する）。
【００２１】
上面３ｂは、下面３ａの反対側の面である。上面３ｂは、一方向（Ｙ方向、単電池２の並び方向、単電池２の配列方向、単電池２の重なり方向）に比較的長い長方形状となっている。したがって、上面３ｂは、短手方向（Ｘ方向）および長手方向（Ｙ方向）を有する形状となっている。
【００２２】
周面３ｃは、下面３ａと上面３ｂとに亘って設けられ、下面３ａと上面３ｂとを接続している。周面３ｃは、四つの面３ｃ１〜３ｃ４を有している。
【００２３】
面３ｃ１，３ｃ３は、下面３ａの短手方向（Ｘ方向）での筐体３の端部３ｄ，３ｆに設けられている。別の言い方をすると、面３ｃ１，面３ｃ３は、複数の組電池１の並び方向（引き出し１０２の挿入方向）での筐体３の端部３ｄ，３ｆに設けられている。面３ｃ１は、端部３ｄ，３ｆのうち引き出し１０２の挿入方向での後側（筐体３の前後方向での前側）の端部３ｄに設けられている。面３ｃ３は、端部３ｄ，３ｆのうち引き出し１０２の挿入方向での前側（筐体３の前後方向での後側）の端部３ｆに設けられている。面３ｃ３は、筐体３における面３ｃ１の反対側の面である。面３ｃ１，３ｃ３は、概略平面状となっており、ＹＺ平面に沿っている。面３ｃ１，３ｃ３は、相互に略平行である。
【００２４】
面３ｃ２，３ｃ４は、下面３ａの長手方向（Ｙ方向）での筐体３の端部３ｅ，３ｇに設けられている。別の言い方をすると、面３ｃ２，３ｃ４は、複数の組電池１の並び方向（引き出し１０２の挿入方向）と直交する筐体３の幅方向（Ｙ方向）での筐体３の端部３ｅ，３ｇに設けられている。面３ｃ２は、端部３ｅ，３ｇのうち一方の端部３ｅに設けられ、面３ｃ４は、端部３ｅ，３ｇのうち他方の端部３ｇに設けられている。面３ｃ４は、筐体３における面３ｃ２の反対側の面である。面３ｃ２，３ｃ４は、概略平面状となっており、ＸＺ平面に沿っている。面３ｃ２，３ｃ４は、相互に略平行である。
【００２５】
また、筐体３は、下面３ａを有する底壁３ｈ（壁、壁部）と、上面３ｂを有する上壁３ｉ（壁、壁部）と、を有している。底壁３ｈおよび上壁３ｉは、矩形状（本実施形態では、一例として長方形状）である。また、筐体３は、周面３ｃを有する周壁３ｊを有している。周壁３ｊは、面３ｃ１を有する壁３ｊ１と、面３ｃ２を有する壁３ｊ２と、面３ｃ３を有する壁３ｊ３と、面３ｃ４を有する壁３ｊ４と、を有している。筐体３は、複数の部材の組み合わせとして構成されうる。例えば、筐体３は、底壁３ｈと周壁３ｊとを含む第一部材と、上壁３ｉを含む第二部材とを有する構成であってよい。この場合、第一部材と第二部材とは、溶着や接着、ねじ止めなどの手段によって相互に結合される。
【００２６】
また、筐体３は、例えば、絶縁性を有した合成樹脂材料（例えば、変性ＰＰＥ（ポリフェニレンエーテル）や、ＰＦＡ（パーフルオロアルコキシアルカン、テトラフルオロエチレン・パーフルオロアルキルビニルエーテル共重合体）など）で構成される。また、筐体３の合成樹脂材料としては、熱可塑性樹脂を用いることができ、例えば、ＰＥや、ＰＰ、ＰＭＰなどのオレフィン樹脂、ＰＥＴや、ＰＢＴ、ＰＥＮなどのポリエステル系樹脂、ＰＯＭ樹脂、ＰＡ６、ＰＡ６６、ＰＡ１２などのポリアミド系樹脂、ＰＰＳ樹脂、ＬＣＰ樹脂などの結晶性樹脂およびそれらのアロイ樹脂、あるいは、ＰＳや、ＰＣ、ＰＣ／ＡＢＳ、ＡＢＳ、ＡＳ、変性ＰＰＥ、ＰＥＳ、ＰＥＩ、ＰＳＦなどの非結晶性樹脂およびそれらのアロイ樹脂を、用いることができる。なお、筐体３は、別例として、金属材料で構成されていてもよい。この場合、金属材料の表面に絶縁性膜が設けられているのが好適である。
【００２７】
また、組電池１は、端子部４，５を有している。本実施形態では、一例として、端子部４は、正極端子部であり、端子部５は、負極端子部である。端子部４は、単電池２の正極端子部に電気的に接続され、端子部５は、単電池２の負極端子部に電気的に接続されている。なお、端子部４が負極端子部であって、端子部５が正極端子部であってもよい。端子部４，５は、筐体３から露出されている。端子部４，５は、筐体３から突出している。一例として、端子部４，５は、筐体３の上面３ｂ（上壁３ｉ）を貫通している。端子部４，５は、筐体３の端部３ｅに寄せて設けられている。端子部４，５は、筐体３の面３ｃ２，３ｃ４のうちで面３ｃ２に寄った位置で上面３ｂから露出されている。端子部４，５は、下面３ａの短手方向（Ｘ方向）に相互に間隔をあけて位置されている。端子部４，５は、例えば、導電性を有した金属材料によって構成されている。
【００２８】
隣り合う組電池１の端子部４，５同士は、一例として、図１に示されるように、バスバー６（導電部材）で接続（接合、結合、固定、電気的に接続）されている。図１では、一例として、二つの組電池１が示され、引き出し１０２の挿入方向での後側の組電池１の端子部５と、引き出し１０２の挿入方向での前側の組電池１の端子部４とがバスバー６によって接続されている。バスバー６は、一例として、導電性を有した金属材料によって構成されている。バスバー６は、一例として、図２に示されるように、帯状（短冊状、平板状）を呈している。なお、バスバー６は、例えば、折り曲げ形状を有していてもよい。バスバー６には、当該バスバー６の長手方向の両端部のそれぞれに孔６ａ（嵌合部、嵌合孔）が設けられている。孔６ａには、端子部４または端子部５が挿入可能となっている。バスバー６は、孔６ａに挿入された端子部４，５と孔６ａの周面で嵌合する。本実施形態では、バスバー６は、当該バスバー６の長手方向が引き出し１０２の挿入方向（下面３ａの短手方向）に沿うように、隣り合う組電池１間に掛け渡されている。バスバー６と端子部４，５とは、一例として、嵌合などにより接合（結合、固定、接続、電気的に接続）されるが、これに限るものではない。例えば、バスバー６と端子部４，５とは、溶着やねじ止めなどによって接合されてもよい。本実施形態では、一例として、複数の組電池１のうち引き出し１０２の挿入方向の一番後側（図１での手前側）に位置する組電池１の端子部４と、複数の組電池１のうち引き出し１０２の挿入方向の一番前側（図１での奥側）に位置する組電池１の端子部５とは、管理装置に電気的に接続されている。
【００２９】
本実施形態では、組電池１は、一例として、図４および図５に示されるように、固定部１０によって載置面１０２ｆに固定されている。固定部１０は、組電池１および収容庫１００とともに、電池設置構造２００を構成している。
【００３０】
固定部１０は、複数の面ファスナ１１を有し、面ファスナ１１同士の結合を用いて組電池１を載置面１０２ｆに固定している。本実施形態では、一例として、複数の面ファスナ１１には、面ファスナ１１Ａおよび面ファスナ１１Ｂが含まれる。本実施形態では、面ファスナ１１Ａは、第一の面ファスナの一例であり、面ファスナ１１Ｂは、第二の面ファスナの一例である。
【００３１】
各面ファスナ１１は、可撓性（柔軟性、弾性）およびクッション性を有している。各面ファスナ１１は、略帯状（短冊状）を呈している。各面ファスナ１１は、ベース部１１ａ（ベース面、基材部）と、係合部１１ｂ（係合面、系着部、系着面、結合部、結合面、引っ掛かり部、引っ掛かり面）と、を有している。係合部１１ｂは、面ファスナ１１におけるベース部１１ａの反対側に位置されている。係合部１１ｂは、ベース部１１ａから延出している。なお、図面では、ベース部１１ａおよび係合部１１ｂが概略的に示されている。係合部１１ｂは、フック部材又はフック部材が着脱可能に係合する（引っ掛かる）掛かり部材を、複数有する。本実施形態では、面ファスナ１１Ａの係合部１１ｂは、フック部材と引っ掛かり部材とのうちの一方を有し、面ファスナ１１Ｂの係合部１１ｂは、フック部材と引っ掛かり部材とのうちの他方を有する。つまり、面ファスナ１１Ａの係合部１１ｂがフック部材を有する場合には、面ファスナ１１Ｂの係合部１１ｂが引っ掛かり部材を有し、面ファスナ１１Ａの係合部１１ｂが引っ掛かり部材を有する場合には、面ファスナ１１Ｂの係合部１１ｂがフック部材を有する。面ファスナ１１Ａ，１１Ｂ同士は、相互の係合部１１ｂ同士が結合可能である。面ファスナ１１Ａ，１１Ｂは、相互に着脱可能である。面ファスナ１１では、筐体３や載置面１０２ｆ等の面ファスナ１１の取り付け対象（固定対象）に、例えば両面粘着テープや接着剤などの固定手段によって貼り付けられている（取り付けられている）。なお、以降の実施形態の面ファスナ１１同士の結合も一方の面ファスナの係合部１１ｂのフック部材と他方の面ファスナ１１の引っ掛かり部材との係合によってなされる。また、以降の実施形態の面ファスナ１１も特段の説明が無い場合には、取り付け対象（固定対象）に、例えば両面粘着テープや接着剤などの固定手段によって貼り付けられている。
【００３２】
面ファスナ１１Ａは、図３ないし図５に示されるように、筐体３の下面３ａに設けられている。面ファスナ１１Ａは、相互に間隔をあけて複数設けられている。複数の面ファスナ１１Ａは、下面３ａの長手方向（Ｙ方向）で相互に間隔をあけて設けられている。
【００３３】
面ファスナ１１Ｂは、図４および図５に示されるように、筐体３の下面３ａの下方で載置面１０２ｆに設けられ、面ファスナ１１Ａと結合している。別の言い方をすると、面ファスナ１１Ｂは、載置面１０２ｆにおける下面３ａと面する領域３ｋ（図５参照）に設けられており、面ファスナ１１Ｂの係合部１１ｂが面ファスナ１１Ａの係合部１１ｂと係合している。面ファスナ１１Ｂは、複数の面ファスナ１１Ａに対応して複数設けられている。即ち、面ファスナ１１Ｂは、相互に間隔をあけて複数設けられている。複数の面ファスナ１１Ｂは、下面３ａの長手方向（Ｙ方向）で相互に間隔をあけて設けられている。
【００３４】
次に、載置面１０２ｆへの組電池１の設置手順の一例を説明する。作業者は、組電池１を載置面１０２ｆに置く過程で、面ファスナ１１Ａを面ファスナ１１Ｂに重ねて、面ファスナ１１Ａ，１１Ｂを結合（係合）させる。面ファスナ１１Ａと面ファスナ１１Ｂとの結合によって組電池１が載置面１０２ｆに固定され、組電池１は、面ファスナ１１Ａおよび面ファスナ１１Ｂを介して載置面１０２ｆに載置される。作業者は、各組電池１を所定位置に固定した後、隣り合う組電池１の端子部４，５同士をバスバー６によって接続する。ここで、載置面１０２ｆにおける下面３ａと面する領域３ｋの外形を線などで表記してもよい。これにより、組電池１を置く目標位置が分かり易くなる。
【００３５】
以上説明したとおり、本実施形態の電池設置構造２００は、組電池１（電池）と、固定部１０とを有している。そして、固定部１０が、複数の面ファスナ１１（面ファスナ１１Ａ，１１Ｂ）を有し、面ファスナ１１同士の結合を用いて組電池１を載置面１０２ｆに固定している。したがって、本実施形態によれば、一例として、載置面１０２ｆへの組電池１の設置作業が比較的やり易い。また、本実施形態では、一例として、組電池１を載置面１０２ｆへ固定するために、組電池１側にねじ孔などの開口を設けなくてよいので、載置面１０２ｆに組電池１を固定するために組電池１（筐体３）の構成を変更する必要がない。
【００３６】
また、本実施形態では、面ファスナ１１Ａは、筐体３の下面３ａに設けられ、面ファスナ１１Ｂは、下面３ａの下方で載置面１０２ｆに設けられている。したがって、本実施形態によれば、一例として、作業者が組電池１を面ファスナ１１Ｂに対して置くことで面ファスナ１１Ａ，１１Ｂ同士が結合して、組電池１が載置面１０２ｆに固定されるので、載置面１０２ｆへの組電池１の設置作業が比較的やり易い。
【００３７】
また、本実施形態では、組電池１は、引き出し１０２の挿入方向（Ｘ方向）に沿って載置面１０２ｆに並べられて複数設けられ、隣り合う組電池１の端子部４，５同士は、バスバー６で接続されている。そして、面ファスナ１１Ａは、筐体３の下面３ａに設けられ、面ファスナ１１Ｂは、下面３ａの下方で載置面１０２ｆに設けられて、面ファスナ１１Ａ２と結合している。したがって、本実施形態によれば、一例として、面ファスナ１１Ａ，１１Ｂが組電池１の下方に位置して組電池１同士の間には位置しないので、隣り合う組電池１同士の間隔を比較的狭くすることができる。よって、本実施形態によれば、一例として、複数の組電池１の設置スペースを比較的小さくすることができるとともに、バスバー６の長さを比較的短くすることができる。
【００３８】
また、本実施形態では、面ファスナ１１Ａは、相互に間隔をあけて複数設けられ、面ファスナ１１Ｂは、複数の面ファスナ１１Ａに対応して複数設けられている。したがって、本実施形態によれば、一例として、組電池１を載置面１０２ｆに比較的強固に固定することができる。
【００３９】
＜第２の実施形態＞
本実施形態では、面ファスナ１１が第１の実施形態に対して異なる。本実施形態の複数の面ファスナ１１には、一例として、図６ないし図８に示されるように、面ファスナ１１Ｃ，１１Ｄ，１１Ｅが含まれる。本実施形態では、面ファスナ１１Ｃは第一の面ファスナの一例であり、面ファスナ１１Ｄは第二の面ファスナの一例であり、面ファスナ１１Ｅは第三の面ファスナの一例である。
【００４０】
面ファスナ１１Ｃは、筐体３の周面３ｃ（第三の面）に設けられている。面ファスナ１１Ｃは、面３ｃ１と面３ｃ３とにそれぞれ設けられている。面ファスナ１１Ｃは、下面３ａの長手方向で相互に間隔をあけて面３ｃ１，３ｃ３のそれぞれに複数（本実施形態では二つ）設けられている。面３ｃ１に設けられた面ファスナ１１Ｃと面３ｃ３に設けられた面ファスナ１１Ｃとは、一例として、筐体３の短手方向（Ｘ方向）の中心を通るＹＺ平面に関して面対称に設けられている。本実施形態では、面３ｃ１は第四の面の一例であり、面３ｃ３は第五の面の一例である。また、面３ｃ１と面３ｃ３とは、下面３ａの短手方向（Ｘ方向）での筐体３の端部３ｄ，３ｆと下面３ａの長手方向（Ｙ方向）での筐体３の端部３ｅ，３ｇとのうちの一方（本実施形態では端部３ｄ，３ｆ）に設けられた面の一例である。
【００４１】
面ファスナ１１Ｄは、載置面１０２ｆにおける下面３ａ（第一の面）と面する領域３ｋの外側に設けられている。面ファスナ１１Ｄは、一例として各面ファスナ１１Ｃに対して（対応して）一つずつ設けられている。面ファスナ１１Ｄは、一例として、対応する面ファスナ１１Ｃと、下面３ａの長手方向（Ｙ方向）での位置（座標位置）が同じである。面ファスナ１１Ｄは、面３ｃ１又は３ｃ３と（端部が）対向する位置に設けられている。面ファスナ１１Ｄは、対応する面ファスナ１１Ｃの近傍に設けられている。筐体３の面３ｃ１側に位置する面ファスナ１１Ｄと、筐体３の面３ｃ３側に位置する面ファスナ１１Ｃとの筐体３の短手方向（Ｘ方向）での距離は、それらの面ファスナ１１Ｃ間に位置する筐体３の部分の長さよりも長い。つまり、面ファスナ１１Ｃは、筐体３が正規位置に載置された場合、筐体３から離間した状態となる。
【００４２】
面ファスナ１１Ｅは、面ファスナ１１Ｃおよび面ファスナ１１Ｄと結合している。面ファスナ１１Ｅは、筐体３の面３ｃ１側と面３ｃ３側とに位置されている。面ファスナ１１Ｅは、面ファスナ１１Ｃ，１１Ｄよりも長い帯状である。面ファスナ１１Ｅは、一例として、当該面ファスナ１１Ｅの長手方向の略中央部で折り曲げられて、概略Ｌ字状の状態で設けられている。面ファスナ１１Ｅは、屈曲部１１ｃと、屈曲部１１ｃによって相互に接続された第一および第二の部分１１ｄ，１１ｅと、を有する。第一の部分１１ｄは、面ファスナ１１Ｃと結合し、面ファスナ１１Ｃを介して筐体３に重ねられている。第二の部分１１ｅは、面ファスナ１１Ｄと結合し、面ファスナ１１Ｄを介して載置面１０２ｆに重ねられている。
【００４３】
次に、載置面１０２ｆへの組電池１の設置手順の一例を説明する。まず、作業者は、各組電池１を載置面１０２ｆの所定位置に置く。次に、作業者は、組電池１の端子部４，５にバスバー６を本止めして、隣り合う組電池１の端子部４，５同士をバスバー６によって接続する。次に、作業者は、面ファスナ１１Ｃ，１１Ｄに面ファスナ１１Ｅを重ねて、面ファスナ１１Ｃ，１１Ｄと面ファスナ１１Ｅを結合させる。面ファスナ１１Ｃ，１１Ｄと面ファスナ１１Ｅとの結合によって、組電池１が載置面１０２ｆに固定される。なお、作業者は、面ファスナ１１Ｃ，１１Ｄと面ファスナ１１Ｅとを結合させる前に、組電池１の端子部４，５へバスバー６を仮止めし、バスバー６の仮止め状態で面ファスナ１１Ｃ，１１Ｄと面ファスナ１１Ｅとを結合させ、その後、バスバー６を本止めしてもよい。ここで、面ファスナ１１は可撓性を有しているので、以上のように、面ファスナ１１Ｃ，１１Ｄと面ファスナ１１Ｅとの結合前に、バスバー６を端子部４，５に本止め又は仮止めすることにより、バスバー６や組電池１の形状誤差等を組電池１の位置調整によって吸収することが可能である。これにより、バスバー６に異常な外力が作用することが抑制される。
【００４４】
以上説明したとおり、本実施形態では、固定部１０が、複数の面ファスナ１１（面ファスナ１１Ｃ，１１Ｄ，１１Ｅ）を有し、面ファスナ１１同士の結合を用いて組電池１を載置面１０２ｆに固定している。したがって、本実施形態でも、第１の実施形態と同様に、一例として、載置面１０２ｆへの組電池１の設置作業が比較的やり易い。
【００４５】
また、本実施形態では、面ファスナ１１Ｃが周面３ｃに設けられ、面ファスナ１１Ｄが載置面１０２ｆにおける下面３ａと面する領域３ｋの外側に設けられ、面ファスナ１１Ｅが面ファスナ１１Ｃ，１１Ｄと結合している。したがって、本実施形態によれば、一例として、面ファスナ１１同士の結合作業が比較的やり易い。
【００４６】
＜第３の実施形態＞
本実施形態では、面ファスナ１１Ｃ，１１Ｄ，１１Ｅの位置が第２の実施形態に対して異なる。
【００４７】
本実施形態では、一例として、図９および図１０に示されるように、面ファスナ１１Ｃは、筐体３の周面３ｃ（第三の面）の面３ｃ２，３ｃ４にそれぞれ設けられている。面ファスナ１１Ｃは、一例として、面３ｃ２，３ｃ４にそれぞれ一つずつ設けられている。面３ｃ２に設けられた面ファスナ１１Ｃと面３ｃ４に設けられた面ファスナ１１Ｃとは、一例として、筐体３の長手方向（Ｙ方向）の中心を通るＸＺ平面に関して面対称に設けられている。本実施形態では、面３ｃ２は第四の面の一例であり、面３ｃ４は第五の面の一例である。また、面３ｃ２と面３ｃ４とは、下面３ａの短手方向（Ｘ方向）での筐体３の端部３ｄ，３ｆと下面３ａの長手方向（Ｙ方向）での筐体３の端部３ｅ，３ｇとのうちの一方（本実施形態では端部３ｅ，３ｇ）に設けられた面の一例である。
【００４８】
面ファスナ１１Ｄは、載置面１０２ｆにおける下面３ａ（第一の面）と面する領域３ｋの外側に設けられている。面ファスナ１１Ｄは、一例として各面ファスナ１１Ｃに対して（対応して）一つずつ設けられている。面ファスナ１１Ｄは、一例として、対応する面ファスナ１１Ｃと、下面３ａの短手方向（Ｘ方向）での位置（座標位置）が同じである。面ファスナ１１Ｄは、面３ｃ２又は３ｃ４と（端部が）対向する位置に設けられている。面ファスナ１１Ｄは、対応する面ファスナ１１Ｃの近傍に設けられている。筐体３の面３ｃ２側に位置する面ファスナ１１Ｄと、筐体３の面３ｃ４側に位置する面ファスナ１１Ｃとの筐体３の長手方向（Ｙ方向）での距離は、それらの面ファスナ１１Ｃ間に位置する筐体３の部分の長さよりも長い。つまり、面ファスナ１１Ｃは、筐体３が正規位置に載置された場合、筐体３から離間した状態となる。
【００４９】
面ファスナ１１Ｅは、面ファスナ１１Ｃおよび面ファスナ１１Ｄと結合している。面ファスナ１１Ｅは、筐体３の面３ｃ２側と面３ｃ４側とに位置されている。載置面１０２ｆへの組電池１の設置手順は、一例として、第２の実施形態同様である。
【００５０】
以上説明したとおり、本実施形態では、固定部１０が、複数の面ファスナ１１（面ファスナ１１Ｃ，１１Ｄ，１１Ｅ）を有し、面ファスナ１１同士の結合を用いて組電池１を載置面１０２ｆに固定している。したがって、本実施形態でも、第１および第２の実施形態と同様に、一例として、載置面１０２ｆへの組電池１の設置作業が比較的やり易い。
【００５１】
また、本実施形態では、面ファスナ１１Ｃが周面３ｃに設けられ、面ファスナ１１Ｄが載置面１０２ｆにおける下面３ａと面する領域３ｋの外側に設けられ、面ファスナ１１Ｅが面ファスナ１１Ｃ，１１Ｄと結合している。したがって、本実施形態によれば、一例として、第２の実施形態と同様の効果を奏することができる。
【００５２】
＜第４の実施形態＞
本実施形態では、面ファスナ１１が第１および第２の実施形態に対して異なる。本実施形態の複数の面ファスナ１１には、一例として、図１１および図１２に示されるように、面ファスナ１１Ａ，１１Ｂ，１１Ｃ，１１Ｄ，１１Ｅが含まれる。本実施形態では、面ファスナ１１Ａは第一の面ファスナの一例であり、面ファスナ１１Ｂは第二の面ファスナの一例であり、面ファスナ１１Ｃは第三の面ファスナの一例であり、面ファスナ１１Ｄは第四の面ファスナの一例であり、面ファスナ１１Ｅは第五の面ファスナの一例である。
【００５３】
また、本実施形態でも上述した実施形態と同じく、端子部４，５が面３ｃ２と面３ｃ４とのうちで面３ｃ２（一方）に寄せられている。そして、面ファスナ１１Ａ，１１Ｂは、面３ｃ２と面３ｃ４とのうちで面３ｃ４（他方）に寄せられている。また、面ファスナ１１Ｃは、面３ｃ２と面３ｃ４とのうちで面３ｃ２（一方）に設けられており、面ファスナ１１Ｃ，１１Ｄ，１１Ｅは、面３ｃ２と面３ｃ４とのうちで面３ｃ２（一方）に寄せられている。なお、別例として、端子部４，５が、面３ｃ２と面３ｃ４とのうちで面３ｃ４（一方）に寄せられ、面ファスナ１１Ａ，１１Ｂが、面３ｃ２と面３ｃ４とのうちで面３ｃ２（他方）に寄せられ、面ファスナ１１Ｃが、面３ｃ２と面３ｃ４とのうちで面３ｃ４（他方）に設けられていてもよい。本実施形態では、面３ｃ２は第四の面の一例であり、面３ｃ４は第五の面の一例である。
【００５４】
また、本実施形態では、筐体３の下面３ａには、スペーサ１２が設けられている。スペーサ１２は、面３ｃ２と面３ｃ４とのうちで面３ｃ２（一方）に寄せられている。スペーサ１２は、一例として、矩形板状である。スペーサ１２は、載置面１０２ｆに当接している。
【００５５】
次に、載置面１０２ｆへの組電池１の設置手順の一例を説明する。作業者は、組電池１を載置面１０２ｆに置く過程で、面ファスナ１１Ａを面ファスナ１１Ｂに重ねて、面ファスナ１１Ａ，１１Ｂを結合（係合）させる。次に、作業者は、組電池１の端子部４，５にバスバー６を本止めして、隣り合う組電池１の端子部４，５同士をバスバー６によって接続する。次に、作業者は、面ファスナ１１Ｃ，１１Ｄに面ファスナ１１Ｅを重ねて、面ファスナ１１Ｃ，１１Ｄと面ファスナ１１Ｅを結合させる。以上により、面ファスナ１１Ａと面ファスナ１１Ｂとの結合と、面ファスナ１１Ｃ，１１Ｄと面ファスナ１１Ｅとの結合とによって、組電池１が載置面１０２ｆに固定される。なお、作業者は、面ファスナ１１Ｃ，１１Ｄと面ファスナ１１Ｅとを結合させる前に、組電池１の端子部４，５へバスバー６を仮止めし、バスバー６の仮止め状態で面ファスナ１１Ｃ，１１Ｄと面ファスナ１１Ｅとを結合させ、その後、バスバー６を本止めしてもよい。ここで、面ファスナ１１は可撓性を有しているので、以上のように、面ファスナ１１Ｃ，１１Ｄと面ファスナ１１Ｅとの結合前に、バスバー６を端子部４，５に本止め又は仮止めすることにより、面ファスナ１１Ａ，１１Ｂを支点として組電池１を回動させることができるので、バスバー６や組電池１の形状誤差等を組電池１の位置調整によって吸収することが可能である。これにより、バスバー６に異常な外力が作用することが抑制される。
【００５６】
以上説明したとおり、本実施形態では、固定部１０が、複数の面ファスナ１１（面ファスナ１１Ａ，１１Ｂ，１１Ｃ，１１Ｄ，１１Ｅ）を有し、面ファスナ１１同士の結合を用いて組電池１を載置面１０２ｆに固定している。したがって、本実施形態でも、第１の実施形態と同様に、一例として、載置面１０２ｆへの組電池１の設置作業が比較的やり易い。
【００５７】
また、本実施形態では、面ファスナ１１Ａが下面３ａに設けられ、面ファスナ１１Ｂが、下面３ａの下方で載置面１０２ｆに設けられ、面ファスナ１１Ａと結合している。また、面ファスナ１１Ｃが周面３ｃに設けられ、面ファスナ１１Ｄが、載置面１０２ｆにおける下面３ａと面する領域３ｋの外側に設けられ、面ファスナ１１Ｅが面ファスナ１１Ｃ，１１Ｄと結合している。したがって、本実施形態によれば、一例として、バスバー６や組電池１の形状誤差等を組電池１の位置調整によって吸収して、バスバー６に異常な外力が作用することを抑制することができる。
【００５８】
＜第５の実施形態＞
本実施形態では、面ファスナ１１が第２の実施形態に対して異なる。本実施形態の複数の面ファスナ１１には、一例として、図１３および図１４に示されるように、面ファスナ１１Ｃ，１１Ｆが含まれる。本実施形態では、面ファスナ１１Ｃは第一の面ファスナの一例であり、面ファスナ１１Ｆは第二の面ファスナの一例である。
【００５９】
面ファスナ１１Ｃの取り付け位置は、第２の実施形態と同じであり、筐体３の周面３ｃ（第三の面）の面３ｃ１と面３ｃ３とにそれぞれ設けられている。
【００６０】
面ファスナ１１Ｆは、載置面１０２ｆにおける下面３ａ（第一の面）と面する領域３ｋの外側にねじ１３（雄ねじ部材、結合具）によって固定され、面ファスナ１１Ｃと結合している。面ファスナ１１Ｆは、一例として各面ファスナ１１Ｃに対して（対応して）一つずつ設けられている。面ファスナ１１Ｆは、筐体３の面３ｃ１側と面３ｃ３側とに位置されている。
【００６１】
面ファスナ１１Ｆは、面ファスナ１１Ｃよりも長い帯状である。面ファスナ１１Ｆは、一例として、面ファスナ１１Ｅと同様に、当該面ファスナ１１Ｆの長手方向の略中央部で折り曲げられて、概略Ｌ字状の状態で設けられている。面ファスナ１１Ｆは、屈曲部１１ｃと、屈曲部１１ｃによって相互に接続された第一および第二の部分１１ｄ，１１ｅと、を有する。第一の部分１１ｄは、面ファスナ１１Ｃと結合し、面ファスナ１１Ｃを介して筐体３に重ねられている。第二の部分１１ｅは、載置面１０２ｆに重ねられた状態で、ねじ１３によって載置面１０２ｆ（底壁１０２ｄ）に固定されている。第二の部分１１ｅには、ねじ１３が挿通された挿通孔１１ｆ（孔、開口、開口部）が設けられている。挿通孔１１ｆは、組電池１の並び方向（Ｘ方向）を長手方向とする長孔である。ねじ１３は、挿通孔１１ｆに挿通された状態で、底壁３ｈに設けられた雌ねじ部と結合して、面ファスナ１１Ｅを載置面１０２ｆ（底壁１０２ｄ）に固定する。一例として、ねじ１３が挿通孔１１ｆに挿通されて雌ねじ部と結合した状態であって、且つ面ファスナ１１Ｆを固定していない状態では（ねじ１３が緩められた状態）、面ファスナ１１Ｆはねじ１３に対して移動可能となっている。
【００６２】
次に、載置面１０２ｆへの組電池１の設置手順の一例を説明する。まず、作業者は、各組電池１を載置面１０２ｆの所定位置に置く。次に、作業者は、面ファスナ１１Ｃに面ファスナ１１Ｆを重ねて、面ファスナ１１Ｃと面ファスナ１１Ｆとを結合させる。次に、作業者は、面ファスナ１１Ｆの挿通孔１１ｆにねじ１３を挿通して、ねじ１３を底壁３ｈに仮止め（仮締め）する。このとき、面ファスナ１１Ｆは、ねじ１３に対して移動可能となっている。次に、作業者は、バスバー６に異常な外力が作用しないように組電池１の位置を調整しながら、組電池１の端子部４，５にバスバー６を本止めして、隣り合う組電池１の端子部４，５同士をバスバー６によって接続する。次に、作業者は、ねじ１３を本止め（本締め）して、面ファスナ１１Ｆを載置面１０２ｆ（底壁１０２ｄ）に固定する。これにより、組電池１が載置面１０２ｆに固定される。なお、作業者は、バスバー６を本止めした後に、面ファスナ１１Ｃに面ファスナ１１Ｆを重ねて、面ファスナ１１Ｃと面ファスナ１１Ｆとを結合させ、面ファスナ１１Ｆをねじ１３によって載置面１０２ｆに固定してもよい。この際、面ファスナ１１Ｆとねじ１３との相対位置関係は、挿通孔１１ｆが長孔であるので、調整可能である。したがって、作業者は、バスバー６に異常な外力が作用しないように組電池１の位置を調整することができる。なお、挿通孔１１ｆが長孔でない場合でも、面ファスナ１１Ｆの可撓性によって面ファスナ１１Ｃの屈曲部１１ｃの位置を調整することで、バスバー６に異常な外力が作用しないように組電池１の位置を調整することができる。
【００６３】
以上説明したとおり、本実施形態では、固定部１０が、複数の面ファスナ１１（面ファスナ１１Ｃ，１１Ｆ）を有し、面ファスナ１１同士の結合を用いて組電池１を載置面１０２ｆに固定している。したがって、本実施形態でも、第１の実施形態と同様に、一例として、載置面１０２ｆへの組電池１の設置作業が比較的やり易い。
【００６４】
また、本実施形態では、面ファスナ１１Ｆがねじ１３によって載置面１０２ｆに固定されている。したがって、本実施形態によれば、一例として、面ファスナ１１Ｆを比較的強固に載置面１０２ｆに固定することができる。
【００６５】
なお、面ファスナ１１Ｆの屈曲の内側で略Ｌ字状の板部材（補強部材、骨格部材）を面ファスナ１１Ｆに固定してもよい。これにより、面ファスナ１１Ｆの変形を抑えて組電池１を比較的強固に載置面１０２ｆに固定することができる。このとき、板部材にもねじ１３が挿通される挿通孔（長孔）を設けることが好適である。これにより、面ファスナ１１Ｆおよび板部材とねじ１３とが相対移動可能となる。
【００６６】
＜第６の実施形態＞
本実施形態では、固定部１０が第１の実施形態に対して異なる。固定部１０は、図１５に示されるように、固定具１４を備えている。また、本実施形態の複数の面ファスナ１１には、一例として、図１５に示されるように、面ファスナ１１Ｄ，１１Ｇ，１１Ｈ，１１Ｉが含まれる。本実施形態では、面ファスナ１１Ｇは第一の面ファスナの一例であり、面ファスナ１１Ｄは、第二の面ファスナの一例であり、面ファスナ１１Ｈは第三の面ファスナの一例であり、面ファスナ１１Ｉは第四の面ファスナの一例である。
【００６７】
固定具１４は、一例として、図１５に示されるように、下面３ａの長手方向（Ｙ方向）に相互に間隔をあけて複数（本実施形態では二つ）設けられている。各固定具１４は、複数の組電池１の並び方向（Ｘ方向）での組電池１の両側に亘って設けられている。固定具１４は、引き出し１０２の挿入方向（Ｘ方向）での組電池１の前後に亘って設けられている。
【００６８】
固定具１４は、図１５および図１６に示されるように、相互に間隔をあけて設けられた一対の板部１４ｂ（壁部、第一部分）と、一対の板部１４ｂの上端部（端部）同士を接続した板部１４ａ（壁部、第二部分）と、一対の板部１４ｂの下端部（端部）のそれぞれに設けられた板部１４ｃ（板部、第三部分）を、を有している。一対の板部１４ｂは、筐体３の短手方向（下面３ａの短手方向、Ｘ方向）に相互に間隔をあけて設けられている。一対の板部１４ｂ間の間隔は、筐体３の短手方向の幅（長さ）以上である。板部１４ａは、筐体の上面３ｂの上方に位置して上面３ｂから離間している。一対の板部１４ｃは、相互に離れる方向で一対の板部１４ｂから略水平（載置面１０２ｆに沿って）延出している。以上の構成の固定具１４内に、筐体３が挿入されている。
【００６９】
面ファスナ１１Ｇは、一例として、各固定具１４に対応して（毎に）一つずつ設けられている。面ファスナ１１Ｇは、筐体３の上面３ｂ（第二の面）に設けられている。面ファスナ１１Ｇは、相互に間隔をあけて複数設けられている。複数の面ファスナ１１Ｇは、下面３ａ（第一の面）の長手方向（複数の組電池１の並び方向と直交する筐体３の幅方向、Ｙ方向）で相互に間隔をあけて設けられている。
【００７０】
面ファスナ１１Ｄは、各面ファスナ１１Ｇに対応して（毎に）二つずつ設けられている。面ファスナ１１Ｄは、第２の実施形態と同様に、載置面１０２ｆにおける下面３ａと面する領域３ｋの外側に設けられている。面ファスナ１１Ｄは、複数の組電池１の並び方向（Ｘ方向）での組電池１（筐体３）の両側に位置されている。面ファスナ１１Ｄは、引き出し１０２の挿入方向（Ｘ方向）での組電池１（筐体３）の前後に位置されている。
【００７１】
面ファスナ１１Ｈは、固定具１４の板部１４ｂの下面に設けられ、面ファスナ１１Ｇと結合している。
【００７２】
面ファスナ１１Ｉは、固定具１４の一対の板部１４ｃのそれぞれに設けられ、面ファスナ１１Ｄと結合している。
【００７３】
次に、載置面１０２ｆへの組電池１の設置手順の一例を説明する。まず、作業者は、各組電池１を載置面１０２ｆの所定位置に置く。次に、作業者は、組電池１の端子部４，５にバスバー６を本止めして、隣り合う組電池１の端子部４，５同士をバスバー６によって接続する。次に、作業者は、固定具１４を組電池１（筐体３）に被せて（外挿して、嵌めて）、面ファスナ１１Ｇに面ファスナ１１Ｈを重ねて、面ファスナ１１Ｇと面ファスナ１１Ｈを結合させるとともに、面ファスナ１１Ｄに面ファスナ１１Ｉを重ねて、面ファスナ１１Ｄと面ファスナ１１Ｉを結合させる。これにより、組電池１が載置面１０２ｆに固定される。
【００７４】
以上説明したとおり、本実施形態では、固定部１０が、複数の面ファスナ１１（面ファスナ１１Ｄ，１１Ｇ，１１Ｈ，１１Ｉ）を有し、面ファスナ１１同士の結合を用いて組電池１を載置面１０２ｆに固定している。したがって、本実施形態でも、第１の実施形態と同様に、一例として、載置面１０２ｆへの組電池１の設置作業が比較的やり易い。
【００７５】
また、本実施形態では、固定部１０が固定具１４を有しているので、比較的強固に組電池１を載置面１０２ｆに固定することができる。
【００７６】
＜第７の実施形態＞
本実施形態では、固定部１０が第６の実施形態に対して異なる。本実施形態の固定部１０は、図１７に示されるように、固定具１４を備えている。また、本実施形態の複数の面ファスナ１１には、一例として、面ファスナ１１Ｇ，１１Ｈが含まれる。本実施形態では、面ファスナ１１Ｇは第一の面ファスナの一例であり、面ファスナ１１Ｈは第二の面ファスナの一例である。面ファスナ１１Ｇ，１１Ｈの取り付けは、第６の実施形態と同じである。
【００７７】
固定具１４は、基本的には、第６の実施形態と同じであるが、本実施形態では、各板部１４ｃが、載置面１０２ｆに重ねられた状態で、ねじ１３によって載置面１０２ｆ（底壁１０２ｄ）に固定されている。板部１４ｃには、ねじ１３が挿通された挿通孔１４ｄ（孔、開口、開口部）が設けられている。挿通孔１４ｄは、組電池１の並び方向（Ｘ方向）を長手方向とする長孔である。ねじ１３は、挿通孔１４ｄに挿通された状態で、底壁３ｈに設けられた雌ねじ部と結合して、板部１４ｃ（固定具１４）を載置面１０２ｆ（底壁１０２ｄ）に固定する。つまり、本実施形態では、固定具１４は、載置面１０２ｆにおける下面３ａと面する領域３ｋの外側にねじ１３によって固定されている。ここで、ねじ１３が挿通孔１４ｄに挿通されて雌ねじ部と結合した状態であって、且つ板部１４ｃを固定していない状態では（ねじ１３が緩められた状態）、固定具１４はねじ１３に対して移動可能となっている。
【００７８】
次に、載置面１０２ｆへの組電池１の設置手順の一例を説明する。まず、作業者は、各組電池１を載置面１０２ｆの所定位置に置く。次に、作業者は、組電池１の端子部４，５にバスバー６を本止めして、隣り合う組電池１の端子部４，５同士をバスバー６によって接続する。次に、作業者は、固定具１４を組電池１（筐体３）に被せて（外挿して、嵌めて）、面ファスナ１１Ｇに面ファスナ１１Ｈを重ねて、面ファスナ１１Ｇと面ファスナ１１Ｈを結合させる。次に、作業者は、これにより、組電池１が載置面１０２ｆに固定される。次に、作業者は、挿通孔１４ｄにねじ１３を挿通して、ねじ１３を底壁３ｈに本止めする。これにより、組電池１が載置面１０２ｆに固定される。なお、作業者は、バスバー６を仮止めした後に、固定具１４をねじ１３によって底壁３ｈに仮止めして、その後、各部を本止めしてもよい。以上により、作業者は、バスバー６に異常な外力が作用しないように組電池１の位置を調整することができる。
【００７９】
以上説明したとおり、本実施形態では、固定部１０が、複数の面ファスナ１１（面ファスナ１１Ｇ，１１Ｈ）を有し、面ファスナ１１同士の結合を用いて組電池１を載置面１０２ｆに固定している。したがって、本実施形態でも、第１の実施形態と同様に、一例として、載置面１０２ｆへの組電池１の設置作業が比較的やり易い。
【００８０】
また、本実施形態では、固定具１４がねじ１３によって載置面１０２ｆに固定されている。したがって、本実施形態によれば、一例として、固定具１４（組電池１）を比較的強固に載置面１０２ｆに固定することができる。
【００８１】
なお、上記の各実施形態では、固定部１０によって固定する電池として、組電池１を例に説明したが、これに限るものでなく、固定部１０によって固定する電池としては、例えば単電池２等であってもよい。
【００８２】
本発明のいくつか実施形態を説明したが、これら実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均などの範囲に含まれる。
【符号の説明】
【００８３】
１…組電池、２…単電池、３…筐体（第一の筐体）、３ａ…下面（第一の面）、３ｂ…上面（第二の面）、３ｃ…周面（第三の面）、３ｃ１，３ｃ２…面（第四の面）、３ｃ３、３ｃ４…面（第五の面）、３ｋ…領域、４，５…端子部、６…バスバー（導電部材）、１０…固定部、１１，１１Ａ〜１１Ｉ…面ファスナ、１３…ねじ（結合具）、１４…固定具、１０１…筐体（第二の筐体）、１０２…引き出し、１０２ｆ…載置面（設置対象）、２００…電池設置構造。
【図１】
2014013687.tif 000003
【図２】
2014013687.tif 000004
【図３】
2014013687.tif 000005
【図４】
2014013687.tif 000006
【図５】
2014013687.tif 000007
【図６】
2014013687.tif 000008
【図７】
2014013687.tif 000009
【図８】
2014013687.tif 000010
【図９】
2014013687.tif 000011
【図１０】
2014013687.tif 000012
【図１１】
2014013687.tif 000013
【図１２】
2014013687.tif 000014
【図１３】
2014013687.tif 000015
【図１４】
2014013687.tif 000016
【図１５】
2014013687.tif 000017
【図１６】
2014013687.tif 000018
【図１７】
2014013687.tif 000019